(57)【要約】【課題】  制御信号回線を、各スピーカについて、２線を引き回すことで実現することができるように、配線量の経済性および施工効率の向上を図った、音声送信制御回路を提供する。【解決手段】  放送音源から増幅器を介して、音声送信ラインにより、端末の各スピーカに音声信号を送信する際、音声送信部では、音声信号をデジタル化し、シーケンス制御で、各スピーカ側のリレー・スイッチを選択的に時分割多重方式で制御し、選択リレー・スイッチを介して、デジタル信号送信ラインに出力すると共に、各スピーカ側では、共通する前記デジタル信号送信ラインを介して、音声送信部側で時間圧縮されたデジタル信号を受信し、時間伸張する受信部において、当該スピーカに対応するデジタル信号を認識して、前記リレー・スイッチを制御するスイッチ制御部を具備している。【選択図】      図１
2005045748.tif 000002
【特許請求の範囲】
【請求項１】
構内放送で系統別スイッチ情報をスピーカが設置されている場所に送り、スピーカのオン／オフを制御する音声送信制御回路において、
放送音源から増幅器を介して、音声送信ラインにより、端末の各スピーカに音声信号を送信する音声送信部は、各スピーカ側のリレー・スイッチを選択的に時分割多重方式で制御するためのシーケンス制御回路と、各スピーカ対応で用意した音声認識ＩＣを介して前記増幅器から送られたアナログ信号をデジタル信号に変換する手段と、前記デジタル信号を前記シーケンス制御回路の時分割制御でオン／オフされる選択リレー・スイッチを介して、デジタル信号送信ラインに出力するインターフェースとを具備し、
各スピーカ側は、共通する前記デジタル信号送信ラインを介して、音声送信部側で時間圧縮されたデジタル信号を受信し、時間伸張する受信部と、当該スピーカに対応するデジタル信号を認識して、前記リレー・スイッチを制御するスイッチ制御部とを具備していることを特徴とする、音声送信制御回路。
【請求項２】
放送音源と音声認識ＩＣとの間で、前記増幅器には、各スピーカ対応の選択スイッチ群が設けられていることを特徴とする、請求項１に記載の音声送信制御回路。
【請求項３】
各スピーカには、前記選択スイッチ群に対応する前記リレー・スイッチに信号を送るか否かの選択のためのディップ・スイッチ群が装備されていることを特徴とする、請求項２に記載の音声送信制御回路。
【発明の詳細な説明】
【技術分野】
【０００１】  本発明は、構内放送で系統別スイッチ情報をスピーカが設置されている場所に送り、スピーカのオン／オフを制御する音声送信制御回路に関するものである。
【背景技術】
【０００２】  この種の音声送信制御回路において、構内の各所に配置されるスピーカを選択的に鳴動させる、最も単純な回路構成は、送信側に用意した、各スピーカ対応のオン／オフ・スイッチを選択制御する方式であるが、この場合は、音声送信ラインをスピーカ毎に配線しなければならない。通常、Ｎ個のスピーカのためには、２線式の場合で２Ｎ本、３線式の場合で３Ｎ本が必要となる。このため、配線量が厖大となり、不経済である。【０００３】  そこで、各スピーカ側にリレー・スイッチを装備し、共通の音声送信ラインから各スピーカへの配信を分岐する方式が採用され、これらリレー・スイッチの制御信号を、無線にて放送音源の送信側から出力することも、所謂、ＴＤＭ（Ｔｉｍｅ  ｄｉｖｉｓｉｏｎ  Ｍｕｌｔｉｐｌｅ  Ａｃｃｅｓｓ）、現在ではＴＣＰ／ＩＰ（ＬＡＮ）などで実用化されている。【０００４】  しかしながら、無線での制御は、外乱による誤作動が避けがたく、また、スピーカの設置場所によっては、電波障壁によって制御不能となる場合がある。
【特許文献１】  特開平１０−１７４１８６号公報
【特許文献２】  特開平９−１４９４９７号公報
【発明の開示】
【発明が解決しようとする課題】
【０００５】  本発明は、上記事情の基づいてなされたもので、音声送信ラインに接続されたスピーカのオン／オフのためのリレー・スイッチを確実に制御することができ、しかも、制御信号回線を、各スピーカについて、２線を引き回すことで実現することができるように、配線量の経済性および施工効率の向上を図った、音声送信制御回路を提供することを目的とする。
【課題を解決するための手段】
【０００６】  このため、本発明では、構内放送で系統別スイッチ情報をスピーカが設置されている場所に送り、スピーカのオン／オフを制御する音声送信制御回路において、放送音源から増幅器を介して、音声送信ラインにより、端末の各スピーカに音声信号を送信する音声送信部は、各スピーカ側のリレー・スイッチを選択的に時分割多重方式で制御するためのシーケンス制御回路と、各スピーカ対応で用意した音声認識ＩＣを介して前記増幅器から送られたアナログ信号をデジタル信号に変換する手段と、前記デジタル信号を前記シーケンス制御回路の時分割制御でオン／オフされる選択リレー・スイッチを介して、デジタル信号送信ラインに出力するインターフェースとを具備し、各スピーカ側は、共通する前記デジタル信号送信ラインを介して、音声送信部側で時間圧縮されたデジタル信号を受信し、時間伸張する受信部と、当該スピーカに対応するデジタル信号を認識して、前記リレー・スイッチを制御するスイッチ制御部とを具備していることを特徴とする。【０００７】  なお、本発明の実施の形態として、放送音源と音声認識ＩＣとの間で、前記増幅器に、各スピーカ対応の選択スイッチ群が設けられていること、また、各スピーカに、前記選択スイッチ群に対応する前記リレー・スイッチに信号を送るか否かの選択のためのディップ・スイッチ群が装備されていることは、制御の多様性を実現する上で、有効である。
【発明の効果】
【０００８】  本発明は、このような構成により、制御信号の時分割を用いることで、２線の引き回しにより、各スピーカへの制御信号の伝達を達成できるので、配線量の経済性および施工効率の向上を図ることができる。
【発明を実施するための最良の形態】
【０００９】  以下、本発明の実施の形態を、図面を参照しながら、具体的に説明する。本発明に係る音声送信制御回路では、構内放送で系統別スイッチ情報をスピーカが設置されている場所に送り、スピーカのオン／オフを制御するが、この場合の音声送信部１は、マイクロフォンなどの放送音源２から増幅器３を介して、音声送信ライン４により、端末の各スピーカＳＰ−１〜ＳＰ−ｎに音声信号を送信する。【００１０】  この音声送信部１は、各スピーカ側のリレー・スイッチＲＳ−１〜ＲＳ−ｎを選択的に時分割多重方式で制御するためのシーケンス制御回路５と、各スピーカ対応で用意した音声認識ＩＣ６−１〜６−ｎを介して増幅器３から送られたアナログ信号をデジタル信号に変換する手段、この実施の形態では、Ａ／Ｄ変換器７−１〜７ｎと、前記デジタル信号をシーケンス制御回路５の時分割制御でオン／オフされる選択リレー・スイッチ８−１〜８−ｎを介して、デジタル信号送信ライン９に出力するインターフェース１０とを具備している。【００１１】  一方、各スピーカ側は、２線で引き回される、共通するデジタル信号送信ライン９を介して、音声送信部１側で時間圧縮されたデジタル信号を受信し、時間伸張する受信部１１と、当該スピーカに対応するデジタル信号を認識して、当該スピーカに対応する、リレー・スイッチＲＳ−１〜ＲＳ−ｎの１つを制御するスイッチ制御部１２とを具備している。【００１２】  更に、この実施の形態では、放送音源２と音声認識１Ｃ６−１〜６−ｎのそれぞれとの間で、増幅器３に、各スピーカ対応の選択スイッチ群１３−１〜１３−ｎが設けられている。また、この実施の形態では、緊急時の、全スピーカ対応の音声送信を実現するための特別のスイッチ１３−Ｒも装備してある。【００１３】  また、各スピーカに、前記選択スイッチ群に対応するリレー・スイッチＲＳ−１〜ＲＳ−ｎの１つに信号を送るか否かを選択するためのディップ・スイッチ群１４が装備されている。【００１４】  このような構成では、ディップ・スイッチ群１４の選択設定で、当該スピーカについて、使用するか否かを予め設定できる。例えば、５個のディップ・スイッチ１４−ａ〜１４−ｅを、５個のスピーカに対応して、各受信部１１に設ける。【００１５】  また、前記ディップ・スイッチ１４−ａ〜１４−ｅを複合して使用することで、多くのスピーカについて、その使用の選択設定を実現できる。例えば、ディップ・スイッチ１４−ａは１、ディップ・スイッチ１４−ｂは２、ディップ・スイッチ１４−ｃは４、ディップ・スイッチ１４−ｄは８、ディップ・スイッチ１４−ｅは１６と配点することで、複数のディップ・スイッチを選択することにより、例えば、配点１のディップ・スイッチ１４−ａと配点２のディップ・スイッチ１４−ｂを選択することで、（１＋２＝３）の演算で得られる第３番目のスピーカについて、その使用を選択することができる。このような設定は、制御の多様性を実現する上で有効である。【００１６】  しかして、音声送信部１では、手動による、選択スイッチ群１３−１〜１３−ｎのスイッチのオン・オフ制御で、放送音源２からの音声信号による鳴動を、各スピーカについて選択することになる。即ち、制御信号として、前記音��認識ＩＣに送られたアナログ信号は、音声信号のハイレベルからローレベルに変換され、前記Ａ／Ｄ変換器でデジタル信号に変換される。【００１７】  そして、選択リレー・スイッチを、シーケンス制御回路５からの制御信号で、オン／オフ制御し、これによって、時分割により圧縮されたデジタル信号が、デジタル信号送信ライン９を介して、各スピーカの受信部に送られる。ここでは、デジタル信号が時間伸張され、スイッチ制御部１２では、対応するリレー・スイッチをオン状態として、そのスピーカに音声信号を与え、鳴動させることができる。なお、スイッチ１３−Ｒをオンにセットした際には、ディップ・スイッチでオン状態にセットされた、全てのスピーカを鳴動させるように、選択リレー・スイッチがオン作動する。【００１８】  この場合、無線による制御と異なり、電波障害による誤動作や電波障壁による制御不能がなく、音声送信ライン４に接続されたスピーカのオン／オフのためのリレー・スイッチを確実に制御することができ、しかも、制御信号回線を、各スピーカについて、２線を引き回すことで実現することができる。従って、配線量の経済性および施工効率の向上を図ることができる。
【図面の簡単な説明】
【００１９】
【図１】  本発明の実施の形態を示す回路構成図である。
【符号の説明】
【００２０】１  音声送信部
２  放送音源
３  増幅器
４  音声送信ライン
ＳＰ−１〜ＳＰ−ｎ  スピーカ
ＲＳ−１〜ＲＳ−ｎ  リレー・スイッチ
５  シーケンス制御回路
６−１〜６−ｎ  音声認識ＩＣ
７−１〜７ｎ  Ａ／Ｄ変換器
８−１〜８−ｎ  選択リレー・スイッチ
９  デジタル信号送信ライン
１０  インターフェース
１１  受信部
１２  スイッチ制御部１２
１３−１〜１３−ｎ  選択スイッチ群
１３−Ｒ  スイッチ
１４  ディップ・スイッチ群
【図１】
2005045748.tif 000003